【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
接触または非接触による第１の通信を行う電子機器と、前記第１の通信とは異なる第２の通信を行う情報処理装置であって、
前記電子機器を扱うユーザ毎の記憶領域に、データを記憶するデータ記憶部と、
前記データを用いて前記第１の通信に関わるサービスを実行するためのアプリケーションプログラムを記憶するプログラム記憶部と、
前記電子機器と前記第２の通信を行う通信部と、
認証された前記電子機器から送信されてくる認証情報に基づいて、前記データ記憶部において、認証された前記電子機器のユーザの記憶領域に記憶されている前記データを特定するデータ特定部と、
前記電子機器から送信されてくる、前記第１の通信に関わる前記サービスを実行する前記アプリケーションプログラムを識別する識別情報と、前記データ特定部により特定された前記データとに基づいて、前記識別情報に対応する前記アプリケーションプログラムを実行する実行部と
を備える情報処理装置。
【請求項２】
前記電子機器は、所定の装置により認証されたとき、前記情報処理装置にアクセスするためのアクセス情報を、前記所定の装置から取得する
請求項１に記載の情報処理装置。
【請求項３】
前記電子機器は、前記アクセス情報に基づいて、前記情報処理装置に前記認証情報を送信する
請求項２に記載の情報処理装置。
【請求項４】
前記アクセス情報は、ワンタイムURL（Uniform Resource Locator）である
請求項２に記載の情報処理装置。
【請求項５】
前記所定の装置とは別個に構成される
請求項２に記載の情報処理装置。
【請求項６】
接触または非接触による第１の通信を行う電子機器と、前記第１の通信とは異なる第２の通信を行う情報処理装置であって、
前記電子機器を扱うユーザ毎の記憶領域に、データを記憶するデータ記憶部と、
前記データを用いて、前記第１の通信に関わるサービスを実行するためのアプリケーションプログラムを記憶するプログラム記憶部と、
前記電子機器と前記第２の通信を行う通信部と、
認証された前記電子機器から送信されてくる認証情報に基づいて、前記データ記憶部において、認証された前記電子機器のユーザの記憶領域に記憶されている前記データを特定するデータ特定部と、
前記電子機器から送信されてくる、前記第１の通信に関わる前記サービスを実行する前記アプリケーションプログラムを識別する識別情報と、前記データ特定部により特定された前記データとに基づいて、前記識別情報に対応する前記アプリケーションプログラムを実行する実行部と
を備える情報処理装置の情報処理方法であって、
前記データ特定部が、認証された前記電子機器から送信されてくる認証情報に基づいて、前記データ記憶部において、認証された前記電子機器のユーザの記憶領域に記憶されている前記データを特定し、
前記実行部が、前記電子機器から送信されてくる、前記第１の通信に関わる前記サービスを実行する前記アプリケーションプログラムを識別する識別情報と、前記特定ステップの処理により特定された前記データとに基づいて、前記識別情報に対応する前記アプリケーションプログラムを実行する
ステップを含む情報処理方法。
【請求項７】
接触または非接触による第１の通信を行う電子機器と、前記第１の通信とは異なる第２の通信を行う情報処理装置であって、
前記電子機器を扱うユーザ毎の記憶領域に、データを記憶するデータ記憶部と、
前記データを用いて、前記第１の通信に関わるサービスを実行するためのアプリケーションプログラムを記憶するプログラム記憶部と、
前記電子機器と前記第２の通信を行う通信部と
を備える情報処理装置の情報処理をコンピュータに実行させるプログラムであって、
認証された前記電子機器から送信されてくる認証情報に基づいて、前記データ記憶部において、認証された前記電子機器のユーザの記憶領域に記憶されている前記データを特定し、
前記電子機器から送信されてくる、前記第１の通信に関わる前記サービスを実行する前記アプリケーションプログラムを識別する識別情報と、前記特定ステップの処理により特定された前記データとに基づいて、前記識別情報に対応する前記アプリケーションプログラムを実行する
ステップを含む処理をコンピュータに実行させるプログラム。
【請求項８】
接触または非接触による第１の通信を行う第１の通信部と、
情報処理装置と、前記第１の通信とは異なる第２の通信を行う第２の通信部と
を備え、
前記情報処理装置は、ユーザ毎の記憶領域にデータを記憶するとともに、前記データを用いて前記第１の通信に関わるサービスを実行するためのアプリケーションプログラムを記憶し、
前記第２の通信部は、
自身の認証情報に基づいて、自身のユーザの記憶領域に記憶されている前記データを前記情報処理装置が特定するために、自身が認証されたときに前記認証情報を前記情報処理装置に送信し、
前記アプリケーションプログラムを識別する識別情報と特定された前記データとに基づいて、前記アプリケーションプログラムを前記情報処理装置が実行するために、前記識別情報を前記情報処理装置に送信する
電子機器。
【請求項９】
所定の装置により認証されたとき、前記情報処理装置にアクセスするためのアクセス情報を、前記所定の装置から取得する
請求項８に記載の電子機器。
【請求項１０】
前記アクセス情報に基づいて、前記情報処理装置に前記認証情報を送信する
請求項９に記載の電子機器。
【請求項１１】
前記アクセス情報は、ワンタイムURL（Uniform Resource Locator）である
請求項９に記載の電子機器。
【請求項１２】
前記所定の装置と前記情報処理装置とは別個に構成される
請求項８に記載の電子機器。
【請求項１３】
接触または非接触による第１の通信を行う第１の通信部と、
情報処理装置と、前記第１の通信とは異なる第２の通信を行う第２の通信部と
を備える電子機器の通信方法であって、
前記情報処理装置は、ユーザ毎の記憶領域にデータを記憶するとともに、前記データを用いて前記第１の通信に関わるサービスを実行するためのアプリケーションプログラムを記憶し、
前記第２の通信部が、
自身の認証情報に基づいて、自身のユーザの記憶領域に記憶されている前記データを前記情報処理装置が特定するために、自身が認証されたときに前記認証情報を前記情報処理装置に送信し、
前記アプリケーションプログラムを識別する識別情報と特定された前記データとに基づいて、前記アプリケーションプログラムを前記情報処理装置が実行するために、前記識別情報を前記情報処理装置に送信する
ステップを含む通信方法。
【請求項１４】
接触または非接触による第１の通信を行う第１の通信部と、
情報処理装置と、前記第１の通信とは異なる第２の通信を行う第２の通信部と
を備える電子機器の通信処理をコンピュータに実行させるプログラムであって、
前記情報処理装置は、ユーザ毎の記憶領域にデータを記憶するとともに、前記データを用いて前記第１の通信に関わるサービスを実行するためのアプリケーションプログラムを記憶し、
自身の認証情報に基づいて、自身のユーザの記憶領域に記憶されている前記データを前記情報処理装置が特定するために、自身が認証されたときに前記認証情報を前記情報処理装置に送信し、
前記アプリケーションプログラムを識別する識別情報と特定された前記データとに基づいて、前記アプリケーションプログラムを前記情報処理装置が実行するために、前記識別情報を前記情報処理装置に送信する
ステップを含む処理をコンピュータに実行させるプログラム。
【手続補正２】
【補正対象書類名】明細書
【補正対象項目名】発明の名称
【補正方法】変更
【補正の内容】
【発明の名称】情報処理装置および情報処理方法、電子機器および通信方法、並びにプログラム
【手続補正３】
【補正対象書類名】明細書
【補正対象項目名】０００１
【補正方法】変更
【補正の内容】
【０００１】
本発明は、情報処理装置および情報処理方法、電子機器および通信方法、並びにプログラムに関し、特に、端末装置のプラットフォームに制限されないサービスをセキュアに提供することができるようにする情報処理装置および情報処理方法、電子機器および通信方法、並びにプログラムに関する。
【手続補正４】
【補正対象書類名】明細書
【補正対象項目名】００１０
【補正方法】変更
【補正の内容】
【００１０】
本発明の一側面の情報処理装置は、接触または非接触による第１の通信を行う電子機器と、前記第１の通信とは異なる第２の通信を行う情報処理装置であって、前記電子機器を扱うユーザ毎の記憶領域に、データを記憶するデータ記憶部と、前記データを用いて前記第１の通信に関わるサービスを実行するためのアプリケーションプログラムを記憶するプログラム記憶部と、前記電子機器と前記第２の通信を行う通信部と、認証された前記電子機器から送信されてくる認証情報に基づいて、前記データ記憶部において、認証された前記電子機器のユーザの記憶領域に記憶されている前記データを特定するデータ特定部と、前記電子機器から送信されてくる、前記第１の通信に関わる前記サービスを実行する前記アプリケーションプログラムを識別する識別情報と、前記データ特定部により特定された前記データとに基づいて、前記識別情報に対応する前記アプリケーションプログラムを実行する実行部とを備える。
本発明の一側面の電子機器は、接触または非接触による第１の通信を行う第１の通信部と、情報処理装置と、前記第１の通信とは異なる第２の通信を行う第２の通信部とを備え、前記情報処理装置が、ユーザ毎の記憶領域にデータを記憶するとともに、前記データを用いて前記第１の通信に関わるサービスを実行するためのアプリケーションプログラムを記憶し、前記第２の通信部が、自身の認証情報に基づいて、自身のユーザの記憶領域に記憶されている前記データを前記情報処理装置が特定するために、自身が認証されたときに前記認証情報を前記情報処理装置に送信し、前記アプリケーションプログラムを識別する識別情報と特定された前記データとに基づいて、前記アプリケーションプログラムを前記情報処理装置が実行するために、前記識別情報を前記情報処理装置に送信する。
【手続補正５】
【補正対象書類名】明細書
【補正対象項目名】００１１
【補正方法】変更
【補正の内容】
【００１１】
本発明の一側面においては、認証情報に基づいて、認証された電子機器のユーザの記憶領域に記憶されているデータが特定され、電子機器から送信されてくる、第１の通信に関わるサービスを実行するアプリケーションプログラムを識別する識別情報と、特定されたデータとに基づいて、識別情報に対応するアプリケーションプログラムが実行される。